【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
第１の印刷経路に沿って位置する第１のプリントヘッドおよび第２の印刷経路に沿って位置する第２のプリントヘッドから成る２個のプリントヘッドを有するプリンタと、
プリンタにおけるロール状レシーバ媒体の位置を検知するセンサと、
複数ページを有する印刷ジョブの実行を開始するローラと、
を備え、プリンタにおけるロール状レシーバ媒体の位置に応じた方のプリントヘッドを使用し次の印刷ジョブの実行を開始する印刷システム。
【請求項２】
請求項１記載の印刷システムであって、センサから供給されるデータが、複数ページ印刷ジョブ内偶数ページ印刷用のプリントヘッドの側にレシーバ媒体が位置していることを表している場合に、そのデータに基づき第２ページから同印刷ジョブの実行を開始する印刷システム。
【請求項３】
請求項１記載の印刷システムであって、次の印刷ジョブが偶数ページ複数個及び奇数ページ複数個を有するデュプレクス印刷ジョブである場合に、偶数ページ同士、奇数ページ同士を対にし、対をなすページが相次いで印刷されることとなるよう当該対単位で当該デュプレクス印刷ジョブを実行する印刷システム。
【請求項４】
請求項３記載の印刷システムであって、デュプレクス印刷ジョブを構成する複数個の偶数ページ及び複数個の奇数ページを、そのページ順に応じた順序でプリンタから出力させる印刷システム。
【請求項５】
請求項４記載の印刷システムであって、先のページが下側を向くフェースダウン順でプリンタから出力させる印刷システム。
【請求項６】
請求項３記載の印刷システムであって、デュプレクス印刷ジョブを構成するページのうち偶数ページが一方のプリントヘッド、奇数ページが他方のプリントヘッドで印刷されるよう、２個のプリントヘッドを稼働させる印刷システム。
【請求項７】
複数個のページを有する印刷ジョブに関し印刷データを生成するステップと、
第１の印刷経路に沿って位置する第１のサーマルプリントヘッドおよび第２の印刷経路に沿って位置する第２のサーマルプリントヘッドから成る２個のサーマルプリントヘッドを有するサーマルプリンタにおけるロール状レシーバ媒体の位置を判別するステップと、
サーマルプリンタにおけるレシーバ媒体の位置に応じ、１つのページに係る印刷データ、次いで他のいずれかのページに係る印刷データを前記サーマルプリンタに送るステップと、
を有する印刷方法。
【請求項８】
請求項７記載の印刷方法であって、印刷データをプリンタに送るステップが、印刷ジョブの第１ページに係る印刷データを送る前に、同印刷ジョブの第２ページに係る印刷データを送るステップを含む印刷方法。
【請求項９】
請求項７記載の印刷方法であって、レシーバ媒体の位置を判別するステップが、前記２個のサーマルプリントヘッドのうちいずれの側にレシーバ媒体が位置しているのかを判別するステップを含む印刷方法。
【請求項１０】
請求項９記載の印刷方法であって、次の印刷ジョブがシンプレクス印刷ジョブである場合に、２個あるプリントヘッドのうち前の印刷ジョブの最終ページ印刷に使用した方のプリントヘッドを使用し当該シンプレクス印刷ジョブ内の諸ページを全て印刷するステップを有する印刷方法。
【請求項１１】
請求項９記載の印刷方法であって、一方のサーマルプリントヘッドが印刷ジョブ内偶数ページの印刷に専用される印刷方法において、レシーバ媒体の位置を判別するステップが、レシーバ媒体の位置が当該偶数ページ専用のサーマルプリントヘッドの側であることを検知するステップを含む印刷方法。
【請求項１２】
請求項９記載の印刷方法であって、次の印刷ジョブが偶数ページ複数個及び奇数ページ複数個を有するデュプレクス印刷ジョブである場合に、偶数ページ同士、奇数ページ同士を対にし、対をなすページが相次いで印刷されることとなるよう当該対単位で当該デュプレクス印刷ジョブを実行するステップを有する印刷方法。
【請求項１３】
複数個のページを有する印刷ジョブに係る印刷データをプリンタ側で受信及び保存するステップと、
第１の印刷経路に沿って位置する第１のサーマルプリントヘッドおよび第２の印刷経路に沿って位置する第２のサーマルプリントヘッドから成る２個のサーマルプリントヘッドを有する前記プリンタにおけるロール状レシーバ媒体の位置を判別するステップと、
プリンタにおけるレシーバ媒体の位置に応じ、１つのページに係る印刷データ、次いで他のいずれかのページに係る印刷データに基づき印刷を実行するステップと、
を有する印刷方法。
【請求項１４】
請求項１３記載の印刷方法であって、印刷を実行するステップが、印刷ジョブの第１ページに係る印刷データに基づき印刷する前に、同印刷ジョブの第２ページに係る印刷データに基づき印刷するステップを含む印刷方法。
【請求項１５】
請求項１４記載の印刷方法であって、レシーバ媒体の位置を判別するステップが、そのプリンタに備わる前記２個のサーマルプリントヘッドのうちいずれの側にロール状レシーバ媒体が位置しているのかを判別するステップを含む印刷方法。
【請求項１６】
請求項１５記載の印刷方法であって、次の印刷ジョブがシンプレクス印刷ジョブである場合に、２個あるプリントヘッドのうち先の印刷ジョブの最終ページ印刷に使用した方のプリントヘッドを使用し当該シンプレクス印刷ジョブ内の諸ページを全て印刷するステップを有する印刷方法。
【請求項１７】
請求項１５記載の印刷方法であって、プリンタに備わるサーマルプリントヘッドのうち一方が印刷ジョブ内偶数ページの印刷に専用される印刷方法において、レシーバ媒体の位置を判別するステップが、レシーバ媒体の位置が当該偶数ページ専用のサーマルプリントヘッドの側であることを検知するステップを含む印刷方法。
【請求項１８】
請求項１５記載の印刷方法であって、次の印刷ジョブが偶数ページ複数個及び奇数ページ複数個を有するデュプレクス印刷ジョブである場合に、偶数ページ同士、奇数ページ同士を対にし、対をなすページが相次いで印刷されることとなるよう当該対単位で当該デュプレクス印刷ジョブを実行するステップを有する印刷方法。
【請求項１９】
複数個のページを有する印刷ジョブを格納するステップと、
第１の印刷経路に沿って位置する第１のサーマルプリントヘッドおよび第２の印刷経路に沿って位置する第２のサーマルプリントヘッドから成る２個のサーマルプリントヘッドを有するサーマルプリンタにおけるロール状レシーバ媒体の位置が、同プリンタに備わる前記２個のサーマルプリントヘッドのうちどちらに近いかを判別するステップと、
２個のサーマルプリントヘッドのうちどちらにレシーバ媒体が近いかに応じ、一方のプリントヘッドを使用し次の印刷ジョブであるデュプレクス印刷ジョブを開始するステップと、
を有し、当該次の印刷ジョブを開始するステップが、レシーバ媒体に近いと判別された方のサーマルプリントヘッドを使用し次の印刷ジョブの第２ページを印刷してから、次の印刷ジョブの第１ページを印刷するステップを含む印刷方法。
【請求項２０】
請求項１９記載の印刷方法であって、次の印刷ジョブが偶数ページ複数個及び奇数ページ複数個を有するデュプレクス印刷ジョブである場合に、偶数ページ同士、奇数ページ同士を対にし、対をなすページが相次いで印刷されることとなるよう当該対単位で当該デュプレクス印刷ジョブを実行するステップを有する印刷方法。